(57)【要約】【課題】  ポケットからころが外径側に脱落するのを阻止するころ止め部の高さを、保持器脱型時の支障を生じることなく高くできて、ころ脱落防止効果を高めることができる樹脂製の保持器付きころを提供する。【解決手段】  この保持器付きころは、円周方向の複数箇所にポケットを有する樹脂成形品からなる環状の保持器１と、前記各ポケット３内に保持される複数のころからなる。ポケット３は、その両側面から内方に突出して、ポケット３からころが外径側へ脱落するのを阻止するころ止め部３ａを有する。隣り合うポケット３Ａ，３Ｂの互いに背面合わせとなる側面におけるころ止め部３ａの軸方向位置は、互いに異ならせている。【選択図】      図３
2010065798.tif 000002
【特許請求の範囲】
【請求項１】
円周方向の複数箇所にポケットを有する樹脂成形品からなる環状の保持器と、前記各ポケット内に保持される複数のころからなり、前記ポケットはその両側面から内方に突出して、ポケットから前記ころが外径側へ脱落するのを阻止するころ止め部を外径部に有する保持器付きころにおいて、
隣り合うポケットの互いに背面合わせとなる側面における前記ころ止め部の軸方向位置を互いに異ならせたことを特徴とする保持器付きころ。
【請求項２】
請求項１において、前記各ポケットの両側面のころ止め部は互いに対向し合う同一軸方向位置にあり、隣り合うポケットの間では、対応するころ止め部の軸方向位置を互いに異ならせた保持器付きころ。
【請求項３】
請求項１において、前記各ポケットの両側面のころ止め部は互いに対向し合わない軸方向位置にあり、隣り合うポケットの間では、対応するころ止め部の軸方向位置を同一に揃えた保持器付きころ。
【請求項４】
請求項３において、各ポケットの片方の側面のころ止め部が軸方向の２箇所にあり、もう片方の側面のころ止め部が軸方向の１箇所である保持器付きころ。
【請求項５】
請求項１ないし請求項４のいずれか１項において、前記ポケットはその両側面から内方に突出して、ポケットから前記ころが外径側へ脱落するのを阻止するころ止め部を内径部に有する保持器付きころ。
【発明の詳細な説明】
【技術分野】
【０００１】
この発明は、保持器を樹脂成形品とした保持器付きころに関する。
【背景技術】
【０００２】
この種の保持器付きころでは、図６に展開図で示すように、環状の保持器１１の周方向の複数箇所にころを保持するポケット１３が形成され、各ポケット１３の両側面の外径側にころが外径側へ脱落するのを阻止するころ止め部１３ａが設けられる。従来例の場合、ポケット１３の一側面に設けられるころ止め部１３ａと他側面に設けられるころ止め部１３ａとが、周方向に対向し合う位置、つまり同一軸方向位置に設けられている（例えば特許文献１，２）。
【特許文献１】特開平７−１０３２４０号公報
【特許文献２】特開平７−２９３５６９号公報
【発明の開示】
【発明が解決しようとする課題】
【０００３】
樹脂成形品である前記保持器１１の成形では、外径側のころ止め部１３ａを形成する場合、そのころ止め部１３ａを変形させながら成形金型を強引に製品から径方向外側に引き抜いている。このため、ころ止め部１３ａの突出高さを高くすると、成形金型を製品から抜くときにころ止め部１３ａが成形金型でむしり取られてしまうことになり、ころ止め部１３ａの突出高さを一定値以上に高くできない。従来例では、ポケット１３の両側面のころ止め部１３ａが同一軸方向位置で互いに対向し合うように設けられているため、製品から成形金型を引き抜くとき、対向し合うころ止め部１３ａの変形が互いに変形を阻害し合うことになり、変形がさらに難しくころ止め部１３ａの突出高さを十分に確保できない。そのため、保持器付きころの運搬時や、保管時、取扱時等に、ころが保持器から不足に脱落することがある。
【０００４】
この発明の目的は、ポケットからころが外径側に脱落するのを阻止するころ止め部の高さを、保持器脱型時の支障を生じることなく高くできて、ころ脱落防止効果を高めることができる樹脂製の保持器付きころを提供することである。
【課題を解決するための手段】
【０００５】
この発明の保持器付きころは、円周方向の複数箇所にポケットを有する樹脂成形品からなる環状の保持器と、前記各ポケット内に保持される複数のころからなり、前記ポケットはその両側面から内方に突出して、ポケットから前記ころが外径側へ脱落するのを阻止するころ止め部を外径部に有する保持器付きころにおいて、隣り合うポケットの互いに背面合わせとなる側面における前記ころ止め部の軸方向位置を互いに異ならせたことを特徴とする。
【０００６】
この構成によると、隣り合うポケットの互いに背面合わせとなる側面における前記ころ止め部の軸方向位置を互いに異ならせたため、保持器の成形において成形金型を製品から外径側に抜くとき、各ころ止め部の変形が他のころ止め部の変形を阻害せず応力が分散される。そのため、保持器脱型時の支障を生じることなく、ころ止め部の突出高さをころの脱落阻止に十分な高さとでき、ころの脱落防止効果を高めることができる。また、隣り合うポケットで挟まれる柱部において、周方向の幅寸法が広い幅広部が軸方向の複数位置に分散配置されることになるので、保持器の柱部の強度が向上する。
【０００７】
この発明において、前記各ポケットの両側面のころ止め部を互いに対向し合う同一軸方向位置に配置し、隣り合うポケットの間では、対応するころ止め部の軸方向位置を互いに異ならせても良い。この構成の場合、各ポケットのころ止め部の配置が１個おきに異なることになるが、個々のポケットの両側のころ止め部の軸方向位置が同じであるため、ころの脱落阻止をより安定して行える。
【０００８】
この発明において、前記各ポケットの両側面のころ止め部を互いに対向し合わない軸方向位置に配置し、隣り合うポケットの間では、対応するころ止め部の軸方向位置を同一に揃えても良い。この場合、各ポケットのころ止め部の配置が互いに同じとなるため、保持器の成型用の金型が簡素にできる。
また、このように各ポケットの両側面のころ止め部を互いに対向し合わない軸方向位置に配置する場合に、片方の側面のころ止め部を軸方向の２箇所に設け、もう片方の側面のころ止め部を軸方向の１箇所としても良い。この場合、ころ止め部の個数を削減しながら、ころの外径側への脱落防止性を確保することができる。
【０００９】
この発明において、前記ポケットはその両側面から内方に突出して、ポケットから前記ころが外径側へ脱落するのを阻止するころ止め部を内径部に有するものとしても良い。
【発明の効果】
【００１０】
この発明の保持器付きころは、円周方向の複数箇所にポケットを有する樹脂成形品からなる環状の保持器と、前記各ポケット内に保持される複数のころからなり、前記ポケットはその両側面から内方に突出して、ポケットから前記ころが外径側へ脱落するのを阻止するころ止め部を外径部に有する保持器付きころにおいて、隣り合うポケットの互いに背面合わせとなる側面における前記ころ止め部の軸方向位置を互いに異ならせたため、ポケットからころが外径側に脱落するのを阻止するころ止め部の高さを、保持器脱型時の支障を生じることなく高くすることができて、ころの脱落阻止効果を高めることができる。
【発明を実施するための最良の形態】
【００１１】
この発明の第１の実施形態を図１ないし図３と共に説明する。この保持器付きころは、図１および図２に部分側面断面図および部分正面断面図で示すように、円周方向の複数箇所にポケット３を有する樹脂成形品である環状の保持器１と、各ポケット３内に保持される複数のころ２とでなる。保持器１の各ポケット３は軸方向に延びる長窓形とされている。各ポケット３の内面における軸方向に延びる両側面には、ポケット３内に挿入されたころ２が外径側に脱落するのを阻止するころ止め部３ａと、内径側に脱落するのを阻止するころ止め部３ｂとが、それぞれ突起状部分として形成されている。つまり、隣り合うポケット３で挟まれて軸方向に延びる柱部４の両側縁の外径側および内径側に、前記ころ止め部３ａ，３ｂが、ポケット３内に向けた突起状部分として形成されている。ここでは、外径側のころ止め部３ａが軸方向に離して２つ設けられ、内径側のころ止め部３ｂも軸方向に離して２つ設けられている。ころ２は、これら両ころ止め部３ａ，３ｂに係合することで、ポケット３内に保持される。
【００１２】
外径側から見た保持器１の部分展開図を図３に示す。同図のように、隣り合うポケット３Ａ，３Ｂの背面合わせとなる側面における外径側のころ止め部３ａの軸方向位置は互いに異ならせてある。具体的には、一方のポケット３Ａの両ころ止め部３ａは、他方のポケット３Ｂの対応する両ころ止め部３ａよりも軸方向外側の位置にそれぞれ設けられている。なお、内径側のころ止め部３ｂについても、外径側のころ止め部３ａと同じ軸方向位置に設けられている。
【００１３】
この構成の保持器付きころによると、樹脂成形品からなる保持器１の隣り合うポケット３Ａ，３Ｂの互いに背面合わせとなる側面における外径側のころ止め部３ａの軸方向位置を互いに異ならせているので、保持器１の成形において成形金型を製品から外径側に抜くとき、各ころ止め部３ａの変形が他のころ止め部３ａの変形を阻害せず、図３に矢印で示すように応力が分散される。そのため、樹脂製保持器１の金型からなる脱型上の問題を生じることなく、ころ止め部３ａの突出高さを高くすることとができて、ころ２の脱落阻止効果を高めることができる。
【００１４】
また、保持器１の隣り合うポケット３Ａ，３Ｂで挟まれる柱部４は、ころ止め部３ａが付加された部分では幅寸法が広がることになるため、その広がり部分で柱部４の強度が増す。この場合に、柱部４の両面のころ止め部３ａの軸方向位置が互いにずれているため、ころ止め部３ａの突出によって幅広となった箇所が分散して生じることになり、一部に集中して幅広部分がある形状に比べて、柱部４の強度が向上する。
【００１５】
図４は、この発明の保持器付きころの他の実施形態における保持器を外径側から見た部分展開図を示す。この実施形態では、各ポケット３の両側面の外径側のころ止め部３ａが、互いに対向し合わない軸方向位置に設けられている。具体的には、ポケット３の一側面では軸方向に離して２つのころ止め部３ａが設けられ、ポケット３の他側面では軸方向の中間位置に１つのころ止め部３ａが設けられている。これらのころ止め部３ａの位置関係は全ポケット３について同じであり、隣り合うポケット３Ａ，３Ｂの間では、対応するころ止め部３ａの軸方向位置は同一に揃えられる。すなわち、ポケット３Ａのころ止め部３ａ１とポケット３Ｂのころ止め部３ａ１は軸方向一方の外側に偏った同一位置に、ポケット３Ａのころ止め部３ａ２とポケット３Ｂのころ止め部３ａ２は軸方向中間の同一位置に、ポケット３Ａのころ止め部３ａ３とポケット３Ｂのころ止め部３ａ３は軸方向他方の外側に偏った同一位置にそれぞれある。このため、隣り合うポケット３Ａ，３Ｂの互いに背面合わせとなる側面におけるころ止め部３ａ１，３ａ２，３ａ３の軸方向位置は互いに異なることになる。
なお、この実施形態では図示しないが、ポケット３における内径側のころ止め部３ｂも外径側のころ止め部３ａと同じ軸方向の位置関係とされる。
【００１６】
この実施形態の場合も、保持器１の隣り合うポケット３Ａ，３Ｂの互いに背面合わせとなる側面における外径側のころ止め部３ａの軸方向位置を互いに異ならせているので、保持器１の成形において成形金型を製品から外径側に抜くとき、各ころ止め部３ａの変形が他のころ止め部３ａの変形を阻害せず応力を分散できて、ころ止め部３ａの突出高さをころ２の脱落阻止に十分な高さとすることができる。
【００１７】
また、隣り合うポケット３Ａ，３Ｂで挟まれる部分において、広幅部が従来例のように軸方向の一部に集中することなく軸方向に分散配置されることも先の実施形態の場合と同様であり、これにより保持器１の強度を十分確保することができる。
【００１８】
なお、以上の各実施形態では、保持器１のポケット３の両側面における内径側のころ止め部３ｂの個数、およびその軸方向位置を外径側のころ止め部３ａと同じとしたが、例えば図１〜図３の実施形態において、図５に断面図で示すように、内径側のころ止め部３ｂを１つとし、これを軸方向の中間位置に設けるものとしても良い。
【図面の簡単な説明】
【００１９】
【図１】この発明の第１の実施形態に係る保持器付きころの部分側面断面図である。
【図２】同保持器付きころの部分正面断面図である。
【図３】同保持器付きころにおける保持器を外径側から見た部分展開図である。
【図４】この発明の他の実施形態に係る保持器付きころにおける保持器を外径側から見た部分展開図である。
【図５】この発明のさらに他の実施形態に係る保持器付きころの部分正面断面図である。
【図６】従来例における保持器を外径側から見た部分展開図である。
【符号の説明】
【００２０】
１…保持器
２…ころ
３…ポケット
３ａ…外径側のころ止め部
３ｂ…内径側のころ止め部
４…柱部
【図１】
2010065798.tif 000003
【図２】
2010065798.tif 000004
【図３】
2010065798.tif 000005
【図４】
2010065798.tif 000006
【図５】
2010065798.tif 000007
【図６】
2010065798.tif 000008